【手続補正書】
【提出日】平成29年1月31日(2017.1.31)
【手続補正１】
【補正対象書類名】特許請求の範囲
【補正対象項目名】全文
【補正方法】変更
【補正の内容】
【特許請求の範囲】
【請求項１】
電子デバイスであって、
タッチ感知式ディスプレイと
１つ以上のプロセッサと、
メモリと、
カメラアプリケーションを含む複数のアプリケーションと、
１つ以上のプログラムとを備え、
前記１つ以上のプログラムは前記メモリに格納され、前記１つ以上のプロセッサによって実行されるように構成され、前記１つ以上のプログラムは、
前記電子デバイスがロックされパスコードで保護された状態である間に、
前記タッチ感知式ディスプレイ上にカメラアクセスマークを含むロック画面インターフェースを表示することと、
前記タッチ感知式ディスプレイ上で第１のジェスチャを検知することと、
前記第１のジェスチャが前記カメラアクセスマークで開始し第１のタイプであるとの判定に応じて、
前記カメラアプリケーションのための制限付きセッションへアクセスするために必要な第２のタイプのジェスチャのインジケーションを前記タッチ感知式ディスプレイ上に表示することと、
前記第１のジェスチャが前記カメラアクセスマーク上で開始し前記第２のタイプであるとの判定に応じて、
前記ロック画面インターフェースの表示を止めることと、
前記カメラアプリケーションのための前記制限付きセッションを開始することと、
パスコード入力インターフェースを表示せずに前記カメラアプリケーションのためのインターフェースを表示することと、
前記カメラアプリケーション以外の前記電子デバイスにおける少なくとも１つのアプリケーションに対して前記電子デバイスを前記ロックされパスコードで保護された状態に維持することと、
のための命令を含む、電子デバイス。
【請求項２】
前記カメラアプリケーションのための制限付きセッションへアクセスするために必要な第２のタイプのジェスチャのインジケーションを表示することは、前記カメラアプリケーションのための前記インターフェースの一部を露出しその後に隠すことを含むアニメーションを表示することを含む、請求項１に記載の電子デバイス。
【請求項３】
前記アニメーションは、
前記カメラアプリケーションのための前記インターフェースの前記一部を部分的に露出するように第１の位置から第２の位置へ前記ロック画面インターフェースを平行移動することと、
前記カメラアプリケーションのための前記インターフェースの前記一部を隠すように前記ロック画面インターフェースを平行移動して戻すこととを含む、請求項２に記載の電子デバイス。
【請求項４】
前記アニメーションの最中に、前記ロック画面インターフェースが跳ねるように見える、請求項２に記載の電子デバイス。
【請求項５】
前記１つ以上のプログラムは、前記第１のジェスチャが前記カメラアクセスマークで開始し前記第１のタイプであるとの前記判定に応じて、前記ロック画面インターフェースの少なくとも一部の表示を維持することのための命令を更に含む、請求項１に記載の電子デバイス。
【請求項６】
前記１つ以上のプログラムは、前記電子デバイスがロックされパスコードで保護された状態にある間に、
前記タッチ感知式ディスプレイ上で第２のジェスチャを検知することと、
前記第２のジェスチャが、前記カメラアクセスマークとは異なる前記電子デバイスのアンロックに関連する前記タッチ感知式ディスプレイ上の位置で開始するとの判定に応じて、
パスコード入力インターフェースを表示することであって、前記パスコード入力インターフェースにおける正しいパスコードの入力に応じて、前記パスコード入力インターフェースが表示されなくなり、前記電子デバイスが前記カメラアプリケーション以外の前記電子デバイスの前記少なくとも１つのアプリケーションへアクセス可能なアンロック状態になる、こととのための命令を更に含む、請求項１に記載の電子デバイス。
【請求項７】
前記第２のジェスチャが前記カメラアクセスマークとは異なる前記電子デバイスのアンロックに関連する前記タッチ感知式ディスプレイ上の位置で開始するとの前記判定は、前記第２のジェスチャが前記第２のタイプであるとの判定を含む、請求項６に記載の電子デバイス。
【請求項８】
前記第１のジェスチャが前記カメラアクセスマークで開始し第２のタイプであるとの判定に応じて前記カメラアプリケーションのための前記インターフェースを表示することは、
前記カメラアプリケーションのための前記インターフェースの前記一部を露出し、その後に前記カメラアプリケーションのための前記インターフェースの残り部分を露出することによって、前記ロック画面インターフェースの表示から前記カメラアプリケーションのための前記インターフェースの表示へと移行することを含む、請求項２に記載の電子デバイス。
【請求項９】
前記１つ以上のプログラムは、前記第１のジェスチャが前記カメラアクセスマークで開始し前記第１のタイプ及び前記第２のタイプとは異なる第３のタイプであるとの判定に応じて、
前記第１のジェスチャに従って前記カメラアプリケーションのための前記インターフェースの表示を拡大することであって、前記拡大は前記カメラアプリケーションのための前記インターフェースの前記一部の表示の拡大から始まる、ことと、
所定の位置に到達した後に前記第１のジェスチャが離されたとの判定に応じて、
前記ロック画面インターフェースの表示を止めることと、
前記カメラアプリケーションのための制限付きセッションを開始することと、
パスコード入力インターフェースを表示せずに前記カメラアプリケーションのための前記インターフェースを表示することと、
所定の位置に到達する前に前記第１のジェスチャが離されたとの判定に応じて、前記カメラアプリケーションのための前記インターフェースの表示を止めることと、
のための命令を更に含む、請求項８に記載の電子デバイス。
【請求項１０】
タッチ感知式ディスプレイ、及びカメラアプリケーションを含む複数のアプリケーションを有する電子デバイスにおいて、
前記電子デバイスがロックされパスコードで保護された状態である間に、
前記タッチ感知式ディスプレイ上にカメラアクセスマークを含むロック画面インターフェースを表示することと、
前記タッチ感知式ディスプレイ上で第１のジェスチャを検知することと、
前記第１のジェスチャが前記カメラアクセスマークで開始し第１のタイプであるとの判定に応じて、
前記カメラアプリケーションのための制限付きセッションへアクセスするために必要な第２のタイプのジェスチャのインジケーションを前記タッチ感知式ディスプレイ上に表示することと、
前記第１のジェスチャが前記カメラアクセスマーク上で開始し前記第２のタイプであるとの判定に応じて、
前記ロック画面インターフェースの表示を止めることと、
前記カメラアプリケーションのための前記制限付きセッションを開始することと、
パスコード入力インターフェースを表示せずに前記カメラアプリケーションのためのインターフェースを表示することと、
前記カメラアプリケーション以外の前記電子デバイスにおける少なくとも１つのアプリケーションに対して前記電子デバイスを前記ロックされパスコードで保護された状態に維持することと、
を有する方法。
【請求項１１】
前記カメラアプリケーションのための制限付きセッションへアクセスするために必要な第２のタイプのジェスチャのインジケーションを表示することは、前記カメラアプリケーションのための前記インターフェースの一部を露出しその後に隠すことを含むアニメーションを表示することを含む、請求項１０に記載の方法。
【請求項１２】
前記アニメーションは、
前記カメラアプリケーションのための前記インターフェースの前記一部を部分的に露出するように第１の位置から第２の位置へ前記ロック画面インターフェースを平行移動することと、
前記カメラアプリケーションのための前記インターフェースの前記一部を隠すように前記ロック画面インターフェースを平行移動して戻すこととを含む、請求項１１に記載の方法。
【請求項１３】
前記アニメーションの最中に、前記ロック画面インターフェースが跳ねるように見える、請求項１１に記載の方法。
【請求項１４】
前記第１のジェスチャが前記カメラアクセスマークで開始し前記第１のタイプであるとの前記判定に応じて、前記ロック画面インターフェースの少なくとも一部の表示を維持することを更に有する、請求項１０に記載の方法。
【請求項１５】
前記電子デバイスがロックされパスコードで保護された状態にある間に、
前記タッチ感知式ディスプレイ上で第２のジェスチャを検知することと、
前記第２のジェスチャが、前記カメラアクセスマークとは異なる前記電子デバイスのアンロックに関連する前記タッチ感知式ディスプレイ上の位置で開始するとの判定に応じて、
パスコード入力インターフェースを表示することであって、前記パスコード入力インターフェースにおける正しいパスコードの入力に応じて、前記パスコード入力インターフェースが表示されなくなり、前記電子デバイスが前記カメラアプリケーション以外の前記電子デバイスの前記少なくとも１つのアプリケーションへアクセス可能なアンロック状態になる、こととを更に有する、請求項１０に記載の方法。
【請求項１６】
前記第２のジェスチャが前記カメラアクセスマークとは異なる前記電子デバイスのアンロックに関連する前記タッチ感知式ディスプレイ上の位置で開始するとの前記判定は、前記第２のジェスチャが前記第２のタイプであるとの判定を含む、請求項１５に記載の方法。
【請求項１７】
前記第１のジェスチャが前記カメラアクセスマークで開始し第２のタイプであるとの判定に応じて前記カメラアプリケーションのための前記インターフェースを表示することは、
前記カメラアプリケーションのための前記インターフェースの前記一部を露出し、その後に前記カメラアプリケーションのための前記インターフェースの残り部分を露出することによって、前記ロック画面インターフェースの表示から前記カメラアプリケーションのための前記インターフェースの表示へと移行することを含む、請求項１１に記載の方法。
【請求項１８】
前記第１のジェスチャが前記カメラアクセスマークで開始し前記第１のタイプ及び前記第２のタイプとは異なる第３のタイプであるとの判定に応じて、
前記第１のジェスチャに従って前記カメラアプリケーションのための前記インターフェースの表示を拡大することであって、前記拡大は前記カメラアプリケーションのための前記インターフェースの前記一部の表示の拡大から始まる、ことと、
所定の位置に到達した後に前記第１のジェスチャが離されたとの判定に応じて、
前記ロック画面インターフェースの表示を止めることと、
前記カメラアプリケーションのための制限付きセッションを開始することと、
パスコード入力インターフェースを表示せずに前記カメラアプリケーションのための前記インターフェースを表示することと、
所定の位置に到達する前に前記第１のジェスチャが離されたとの判定に応じて、前記カメラアプリケーションのための前記インターフェースの表示を止めることと、
を更に有する、請求項１７に記載の方法。
【請求項１９】
タッチ感知式ディスプレイ、及びカメラアプリケーションを含む複数のアプリケーションを有する電子デバイスによって実行された場合に、請求項１０乃至１８の何れか１項に記載の方法を前記電子デバイスに実行させる命令を有するプログラム。